(57)【特許請求の範囲】
【請求項１】
他の無線通信装置との間でＴＤＭＡ（Time Division Multiple Access）同期処理を行う同期処理部を備えた無線通信装置であって、
前記同期処理部は、自装置が属するＴＤＭＡ網とは異なる同期タイミングである他のＴＤＭＡ網に属する無線通信装置から同期信号を受信した際に、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、ＴＤＭＡ網全体の同期タイミングの目標値を設定し、当該目標値に近づくよう、自装置が属するＴＤＭＡ網での同期状態を維持したまま、当該ＴＤＭＡ網の同期タイミングを変更する、
無線通信装置。
【請求項２】
請求項１に記載の無線通信装置であって、
前記同期処理部は、自装置が属するＴＤＭＡ網での同期状態を維持できる最大量以内で、当該ＴＤＭＡ網の同期タイミングを変更する、
無線通信装置。
【請求項３】
請求項１又は２に記載の無線通信装置であって、
前記同期処理部は、自装置が属するＴＤＭＡ網での無線通信において設定されているガードタイム以内で、当該ＴＤＭＡ網の同期タイミングを変更する、
無線通信装置。
【請求項４】
他の無線通信装置との間でＴＤＭＡ（Time Division Multiple Access）同期処理を行う同期処理部を備えた無線通信装置が属するＴＤＭＡ網を複数備えた無線通信システムであって、
前記無線通信装置の前記同期処理部は、自装置が属するＴＤＭＡ網とは異なる同期タイミングである他のＴＤＭＡ網の無線通信装置から同期信号を受信した際に、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、ＴＤＭＡ網全体の同期タイミングの目標値を設定し、当該目標値に近づくよう、自装置が属するＴＤＭＡ網での同期状態を維持したまま、当該ＴＤＭＡ網の同期タイミングを変更する、
無線通信システム。
【請求項５】
請求項４に記載の無線通信システムであって、
前記複数のＴＤＭＡ網のうち、少なくとも１つのＴＤＭＡ網に属する前記無線通信装置の前記同期処理部が、自装置が属するＴＤＭＡ網の同期タイミングを変更する、
無線通信システム。
【請求項６】
無線通信装置が備える演算装置に、
他の無線通信装置との間でＴＤＭＡ（Time Division Multiple Access）同期処理を行う同期処理部を実現させるためのプログラムであって、
前記同期処理部は、自装置が属するＴＤＭＡ網とは異なる同期タイミングである他のＴＤＭＡ網に属する無線通信装置から同期信号を受信した際に、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、ＴＤＭＡ網全体の同期タイミングの目標値を設定し、当該目標値に近づくよう、自装置が属するＴＤＭＡ網での同期状態を維持したまま、当該ＴＤＭＡ網の同期タイミングを変更する、
プログラム。
【請求項７】
他の無線通信装置との間でＴＤＭＡ（Time Division Multiple Access）同期処理を行う無線通信装置による無線通信方法であって、
無線通信装置が、自装置が属するＴＤＭＡ網とは異なる同期タイミングである他のＴＤＭＡ網に属する無線通信装置から同期信号を受信した際に、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、ＴＤＭＡ網全体の同期タイミングの目標値を設定し、当該目標値に近づくよう、自装置が属するＴＤＭＡ網での同期状態を維持したまま、当該ＴＤＭＡ網の同期タイミングを変更する、
無線通信方法。
【請求項８】
請求項７に記載の無線通信方法であって、
複数のＴＤＭＡ網のうち、少なくとも１つのＴＤＭＡ網に属する前記無線通信装置が、自装置が属するＴＤＭＡ網の同期タイミングを変更する、
無線通信方法。
【発明の詳細な説明】
【技術分野】
【０００１】
本発明は、無線通信装置にかかり、特に、ＴＤＭＡ（Time Division Multiple Access）網で無線通信を行う無線通信装置に関する。
【背景技術】
【０００２】
複数の無線通信装置が同一のタイミングで同期を維持するＴＤＭＡ網がある。このＴＤＭＡ網では、無線通信装置が同期を確立することが重要となり、そのような方法が特許文献１に開示されている。
【０００３】
そして、ＴＤＭＡ網では、図１に示すように、無線環境の変化によりＴＤＭＡ網が２つ以上に分離され、それぞれ独立したタイミングで同期を維持しなければならない場合がしばしば生じる（図１のCase1からCase2、符号１０，２０を参照）。このタイミングのずれは、無線通信装置に実装されている発信器の精度に依存するが、高精度の発信器は高価であり、低コスト化を要求される無線通信装置に実装するのは容易ではない。
【０００４】
このタイミングのずれを無視できない状況において、ＴＤＭＡ網が分離された後に、再び無線環境が変化し、互いのＴＤＭＡ網の一部から無線通信が可能となる場合がある（図１のCase2からCase3）。この場合には、すぐに全ての無線通信装置で同期が復帰できず、直接、無線通信が可能な比較的近接している特定の無線通信装置１４から順次タイミングを補正し、同期が復帰することになる（図１のCase3からCase4、符号３０参照）。そして、その後、全ての無線通信装置１１〜１５で同期が復帰される（図１のCase5）。
【先行技術文献】
【特許文献】
【０００５】
【特許文献１】特開２０１１−２３４３２７号公報
【発明の概要】
【発明が解決しようとする課題】
【０００６】
しかしながら、図１のCase4の状況において、上述した特定の無線通信装置１４が同期に復帰している間に、他のＴＤＭＡ網と直接無線通信ができない無線通信装置１５は、一時的に同一のＴＤＭＡ網の無線通信装置との同期のタイミングに追従できなくなり、同期が切断されるという問題がある。この無線通信装置を使用するユーザにとって、通信可能と思われる無線通信装置との通信が想定外に切断されることとなると、運用上大きな問題となる。このように無線通信が切断される無線通信装置は、ＴＤＭＡ網が大規模になるほどその台数も増えることになる。
【０００７】
このため、本発明の目的は、上述した課題である、無線通信が切断されること、を解決することができる無線通信装置を提供することにある。
【課題を解決するための手段】
【０００８】
本発明の一形態である無線通信装置は、
他の無線通信装置との間でＴＤＭＡ（Time Division Multiple Access）同期処理を行う同期処理部を備えた無線通信装置であって、
前記同期処理部は、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
という構成をとる。
【０００９】
また、本発明の一形態であるプログラムは、
無線通信装置が備える演算装置に、
他の無線通信装置との間でＴＤＭＡ（Time Division Multiple Access）同期処理を行う同期処理部を実現させるためのプログラムであって、
前記同期処理部は、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
という構成をとる。
【００１０】
また、本発明の一形態である無線通信システムは、
他の無線通信装置との間でＴＤＭＡ（Time Division Multiple Access）同期処理を行う同期処理部を備えた無線通信装置が属するＴＤＭＡ網を複数備えた無線通信システムであって、
前記無線通信装置の前記同期処理部は、自装置が属するＴＤＭＡ網とは異なる同期タイミングである他のＴＤＭＡ網の無線通信装置から同期信号を受信した際に、当該受信した同期信号に基づいて、自装置が属するＴＤＭＡ網での同期状態を維持したまま、当該ＴＤＭＡ網の同期タイミングを変更する、
という構成をとる。
【００１１】
また、本発明の一形態である無線通信方法は、
他の無線通信装置との間でＴＤＭＡ（Time Division Multiple Access）同期処理を行う無線通信装置による無線通信方法であって、
無線通信装置が、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
という構成をとる。
【発明の効果】
【００１２】
本発明は、以上のように構成されることにより、ＴＤＭＡ網において無線通信装置間の無線通信が切断されることを抑制することができる。
【図面の簡単な説明】
【００１３】
【図１】ＴＤＭＡ網による同期処理の様子の一例を示す図である。
【図２】本発明におけるＴＤＭＡ網による同期処理の様子を示す図である。
【図３】本発明における無線通信装置の構成を示すブロック図である。
【図４】図３に開示した無線通信装置の動作を示すフローチャートである。
【図５】図４に開示したタイミング補正処理の詳細を示すフローチャートであり、本発明の場合と比較する他の動作例を示す図である。
【図６】本発明における、図４に開示したタイミング補正処理の詳細を示すフローチャートである。
【図７】本発明の付記１における無線通信装置の構成を示すブロック図である。
【発明を実施するための形態】
【００１４】
＜実施形態１＞
本発明の第１の実施形態を、図２乃至図６を参照して説明する。図２は、無線通信システム全体における同期処理の様子を示す図である。図３は、無線通信装置の構成を示すブロック図である。図４乃至図６は、無線通信装置の動作を示すフローチャートである。
【００１５】
本発明における無線通信装置は、ＴＤＭＡ（Time Division Multiple Access）網において他の無線通信装置との間でＴＤＭＡ同期処理を行い、これにより無線通信を行うものである。そして、本発明では、図２に示すように、複数の無線通信装置１１〜１５が属するＴＤＭＡ網１０，２０を複数備えた無線通信システムを構成している。
【００１６】
具体的に、本発明では、図２に示すように、まず、無線環境の変化により２つのＴＤＭＡ網１０，２０に分離されて（図２のCase1からCase2）、複数のＴＤＭＡ網１０，２０となった場合を想定する。その後、再び無線環境が変化して互いのＴＤＭＡ網の一部から無線通信が可能となると（図２のCase3）、全ての無線通信装置１１〜１５が同一のＴＤＭＡ網３０で同期が復帰することを可能としている（図１のCase4）。つまり、本発明では、上記課題で説明した図２のCase4を経ることなく、一時的にある無線通信端末１５の同期が切断されることを抑制するものである。
【００１７】
但し、本発明における無線通信システム及び装置は、必ずしも図２に示す状況にあるものに限定されない。つまり、本発明における無線通信システム及び装置は、いかなる状況のもとでＴＤＭＡ同期処理を行う場合にも適用可能である。
【００１８】
続いて、無線通信装置１１〜１５の構成及び動作を詳細に説明する。なお、無線通信装置１１〜１５はいずれも同様の構成をとるため、以下では、１つの無線通信装置１０１を例に挙げて説明する。
【００１９】
無線通信装置１０１は、通信装置、演算装置、記憶装置を備えた無線通信可能な情報処理装置である。そして、無線通信装置１０１は、図３に示すように、通信装置として、ＲＦ部１０４とアンテナ部１０５とを備える。また、無線通信装置１０１は、演算装置がプログラムを実行することで構築された、通信アプリケーション処理部１０２と、無線制御部１０３と、を備える。無線制御部１０３は、さらに、ＴＤＭＡ同期処理部１０６と、変復調処理部１０７と、ＲＦ制御部１０８と、を備える。
【００２０】
上記各構成の機能を、動作とともに説明する。ＴＤＭＡ網においては、音声やデータの送受信の前に、他の無線通信装置との間でＴＤＭＡ同期を確立する必要がある。受信系を例にして説明する。初期の段階では、ＴＤＭＡ同期処理部１０６にて同期信号の受信待ち状態となり、ＲＦ制御部１０８からＲＦ部１０４に対して受信待ちを指示する。
【００２１】
アンテナ部１０５にて他の無線通信装置から送信された無線信号を受信すると、ＲＦ部１０４にてＲＦ受信処理を行い、無線制御部１０３へ信号が伝達される。無線制御部１０３においてＴＤＭＡ同期処理部１０６にて同期処理が行われ、タイミングの補正後、ＴＤＭＡ同期が確立する。
【００２２】
以降は、上述のＴＤＭＡ同期処理を定期的に行いつつ、音声やデータの信号の送受において、ＲＦ部１０４から無線制御部１０３を経由して通信アプリケーション処理部１０２に信号が伝達され、音声処理やデータの転送を実施する。
【００２３】
そして、本発明においては、特に、ＴＤＭＡ同期処理部１０６の内部処理に特徴を有する。ＴＤＭＡ同期処理部１０６（同期処理部）の内部処理の詳細を、図４乃至図６のフローチャートを参照して説明する。
【００２４】
まず、受信状態の動作全体の流れを、図４を参照して説明する。まず処理が開始され、受信待ち処理（ステップＳ１）が行われる。そして、同期信号の受信の有無を確認し（ステップＳ２）、同期信号を受信していないときは再び受信待ちに入り（ステップＳ２でＮｏ，ステップＳ１）、同期信号を受信するとタイミング補正処理を行う（ステップＳ２でＹｅｓ，ステップＳ３）。なお、ここでは、あるＴＤＭＡ網に属する無線通信装置が、異なる同期タイミングである他のＴＤＭＡ網に属する他の無線通信装置から同期信号を受信した際に、タイミング補正処理を行うこととする。
【００２５】
続いて、図４のタイミング補正処理（ステップＳ３）のルーチン処理について、従来の方法の場合と、本発明の方法の場合を説明する。
【００２６】
まず、上述したタイミング補正処理（図４のステップＳ３）が、従来の処理であった場合についての内部処理を、図５を参照して説明する。処理が開始され、受信した他のＴＤＭＡ網の同期タイミングに、自装置が属するＴＤＭＡ網の同期タイミングを一括でシフトする処理を行う（ステップＳ１１）。かかる処理を行って、再び図４の受信待ち（ステップＳ１）に戻る。この場合、同期タイミングのシフト量（変更量）が大きいと、当該同期タイミングをシフトした無線通信装置が属しているＴＤＭＡ網における同期から外れることがあり、通信が切断されるおそれがある。
【００２７】
これに対して、本発明の方法では、上述したタイミング補正処理（図４のステップＳ３）の内部処理が、図６に示すよう行われる。処理が開始され、まずタイミング検知とそのタイミングを保存する処理（ステップＳ２１）が行われる。次に、タイミング検知して一定時間経過したかを確認し（ステップＳ２２）、経過していなければ処理が終了して（ステップＳ２２でＮｏ）、再び図４の処理に戻る。一定時間経過した場合は（ステップＳ２２でＹｅｓ）、その間に取得した他の無線通信装置の同期タイミングと、自装置が属しているＴＤＭＡ網の同期タイミングと、に基づいて、シフト（変更）する同期タイミングの目標値を算出する（ステップＳ２３）。
【００２８】
上記目標値の算出は、例えば、取得した他の無線通信装置の同期タイミングを目標値としたり、両同期タイミングの中間の値を目標値として算出する。このとき、同期タイミングを取得した他の無線通信装置と自装置との固有の値、例えば、ＭＡＣアドレスなどの値に応じて、両同期タイミングに重み付けをして、目標値を算出してもよい。例えば、予め設定された基準により他の無線通信装置の重みが大きい場合には、当該他の無線通信装置から取得した同期タイミングの値あるいはそれに近い値を、目標値として算出する。
【００２９】
続いて、自装置の同期タイミングと目標値との誤差があるかを確認する（ステップＳ２４）。ここで、誤差がある、とは、同期タイミングと目標値との差が、予め設定された閾値以上である場合をいう。誤差が無ければ（ステップＳ２４でＮｏ）、処理を終了させ、図４の処理に戻る。誤差がある場合は（ステップＳ２４でＹｅｓ）、同期タイミングのシフト（変更）を行う（ステップＳ２５）。
【００３０】
上述した同期タイミングのシフトは、無線通信装置が、自装置が属するＴＤＭＡ網での同期状態を維持したまま、同期タイミングが目標値に対して近づくように行う。このとき、無線通信装置が、属しているＴＤＭＡ網において同期維持可能な最大値だけ、同期タイミングをシフトする。例えば、シフト量は、無線通信装置が属するＴＤＭＡ網において設定されているガードタイムの値とする。なお、ガードタイムとは、ＴＤＭＡ網での２つ以上の装置間のクロック精度における不可避の誤差及び伝搬時間の差異に起因して時間的に重複することを防止するための付加時間である。ここで、同期タイミングのシフト量は、属しているＴＤＭＡ網における同期を維持できる範囲であれば、上述した同期維持可能な最大値以下やガードタイム以下の値であってもよく、いかなる値であってもよい。
【００３１】
上述した同期タイミングのシフト処理後（ステップＳ２５）、図４の処理に戻る。これらの処理を繰り返すことで、各ＴＤＭＡ網の同期維持可能な範囲で徐々に目標値へ同期タイミングをシフトすることできる。その結果、ユーザにとって想定外の通信の切断なしに、ＴＤＭＡ網全体が１つのタイミングに同期することが可能となる。
【００３２】
以上のように、本発明では、複数の同期タイミングが異なるＴＤＭＡ網が結合した場合に、同期タイミングの目標値を各ＴＤＭＡ網で決定し、結合前の各ＴＤＭＡ網にて同期を維持したまま、目標値に近づくよう繰り返し同期タイミングをシフトする。これにより、同期が切断することなく、ＴＤＭＡ網全体で１つのタイミングに合わせることができる。また、その目標値の計算において、無線通信装置ごとに独立した任意の値で重みづけを行うことで繰り返し計算の早期収束を促すことができる。また、複数の無線通信装置間で同期信号以外の情報のやり取りをする必要がなく、分散的に同期処理が可能である。
【００３３】
なお、上記では、同期信号を受信した無線通信装置が同期タイミングのシフト処理を行う場合を例示したが、同期信号を送信した側も目標値を受け取って同期タイミングのシフト処理を行ってもよい。つまり、複数のＴＤＭＡ網において、１つのＴＤＭＡ網で同期タイミングのシフトを行ってもよく、複数のＴＤＭＡ網で同期タイミングのシフトを行ってもよい。
【００３４】
＜付記＞
上記実施形態の一部又は全部は、以下の付記のようにも記載されうる。以下、本発明における無線通信装置（図７参照）、プログラム、無線通信方法の構成の概略を説明する。但し、本発明は、以下の構成に限定されない。
【００３５】
（付記１）
他の無線通信装置との間でＴＤＭＡ（Time Division Multiple Access）同期処理を行う同期処理部２０１を備えた無線通信装置２００であって、
前記同期処理部２０１は、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
無線通信装置。
【００３６】
（付記２）
付記１に記載の無線通信装置であって、
前記同期処理部は、自装置が属するＴＤＭＡ網での同期状態を維持できる最大量以内で、当該ＴＤＭＡ網の同期タイミングを変更する、
無線通信装置。
【００３７】
（付記３）
付記１又は２に記載の無線通信装置であって、
前記同期処理部は、自装置が属するＴＤＭＡ網での無線通信において設定されているガードタイム以内で、当該ＴＤＭＡ網の同期タイミングを変更する、
無線通信装置。
【００３８】
（付記４）
付記１乃至３のいずれかに記載の無線通信装置であって、
前記同期処理部は、自装置が属するＴＤＭＡ網の同期タイミングと、同期信号を受信した前記他のＴＤＭＡ網の同期タイミングと、に基づいて、自装置が属するＴＤＭＡ網の同期タイミングを変更する目標値を設定し、当該目標値に近づくよう、自装置が属するＴＤＭＡ網での同期状態を維持したまま、当該ＴＤＭＡ網の同期タイミングを変更する、
無線通信装置。
【００３９】
（付記５）
付記４に記載の無線通信装置であって、
前記同期処理部は、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、前記目標値を設定する、
無線通信装置。
【００４０】
（付記６）
他の無線通信装置との間でＴＤＭＡ（Time Division Multiple Access）同期処理を行う同期処理部を備えた無線通信装置が属するＴＤＭＡ網を複数備えた無線通信システムであって、
前記無線通信装置の前記同期処理部は、自装置が属するＴＤＭＡ網とは異なる同期タイミングである他のＴＤＭＡ網の無線通信装置から同期信号を受信した際に、当該受信した同期信号に基づいて、自装置が属するＴＤＭＡ網での同期状態を維持したまま、当該ＴＤＭＡ網の同期タイミングを変更する、
無線通信システム。
【００４１】
（付記７）
付記１に記載の無線通信システムであって、
前記複数のＴＤＭＡ網のうち、少なくとも１つのＴＤＭＡ網に属する前記無線通信装置の前記同期処理部が、自装置が属するＴＤＭＡ網の同期タイミングを変更する、
無線通信システム。
【００４２】
（付記８）
無線通信装置が備える演算装置に、
他の無線通信装置との間でＴＤＭＡ（Time Division Multiple Access）同期処理を行う同期処理部を実現させるためのプログラムであって、
前記同期処理部は、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
プログラム。
【００４３】
（付記９）
他の無線通信装置との間でＴＤＭＡ（Time Division Multiple Access）同期処理を行う無線通信装置による無線通信方法であって、
無線通信装置が、自装置が属するＴＤＭＡ網とは異なる同期タイミングである他のＴＤＭＡ網に属する無線通信装置から同期信号を受信した際に、当該受信した同期信号に基づいて、自装置が属するＴＤＭＡ網での同期状態を維持したまま、当該ＴＤＭＡ網の同期タイミングを変更する、
無線通信方法。
【００４４】
（付記１０）
付記９に記載の無線通信方法であって、
複数のＴＤＭＡ網のうち、少なくとも１つのＴＤＭＡ網に属する前記無線通信装置が、自装置が属するＴＤＭＡ網の同期タイミングを変更する、
無線通信方法。
【００４５】
（付記１１）
付記１０に記載の無線通信方法であって、
前記無線通信装置が、自装置が属するＴＤＭＡ網での同期状態を維持できる最大量以内で、当該ＴＤＭＡ網の同期タイミングを変更する、
無線通信方法。
【００４６】
（付記１２）
付記１０又は１１に記載の無線通信方法であって、
前記無線通信装置が、自装置が属するＴＤＭＡ網での無線通信において設定されているガードタイム以内で、当該ＴＤＭＡ網の同期タイミングを変更する、
無線通信方法。
【００４７】
（付記１３）
付記１０乃至１２のいずれかに記載の無線通信方法であって、
前記無線通信装置が、自装置が属するＴＤＭＡ網の同期タイミングと、同期信号を受信した前記他のＴＤＭＡ網の同期タイミングと、に基づいて、自装置が属するＴＤＭＡ網の同期タイミングを変更する目標値を設定し、当該目標値に近づくよう、自装置が属するＴＤＭＡ網での同期状態を維持したまま、当該ＴＤＭＡ網の同期タイミングを変更する、
無線通信方法。
【００４８】
（付記１４）
付記１３に記載の無線通信方法であって、
前記無線通信装置は、自装置が属するＴＤＭＡ網の同期タイミングと、同期信号を受信した前記他のＴＤＭＡ網の同期タイミングとを、自装置と前記他のＴＤＭＡ網に属する無線通信装置との固有の値に基づいて重み付けして、前記目標値を設定する、
無線通信方法。
【００４９】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００５０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５１】
１０，２０，３０  ＴＤＭＡ網
１１〜１５，１０１  無線通信装置
１０２  通信アプリケーション処理部
１０３  無線制御部
１０４  ＲＦ部
１０５  アンテナ部
１０６  ＴＤＭＡ同期処理部
１０７  変復調処理部
１０８  ＲＦ制御部
２００  無線通信装置
２０１  同期処理部
【図１】
0006515630.tif 000002
【図２】
0006515630.tif 000003
【図３】
0006515630.tif 000004
【図４】
0006515630.tif 000005
【図５】
0006515630.tif 000006
【図６】
0006515630.tif 000007
【図７】
0006515630.tif 000008